(57)【要約】【課題】  時刻に応じて、照明器具の点灯条件を自動的に変更可能な照明システムを提供する。【解決手段】  本発明の照明システムは、信号の送信部１１と、リモコン時計部１２とを有するリモコン１０、および、信号の受信部２１と、照明ユニット２２と、照明の制御部２３と、照明時計部２４と、時刻の補正部２５とを有する照明器具２０、を含み、リモコン１０は、送信部１１が、照明器具２０に信号を送信し、前記信号は、照明器具１０のオート制御の起動情報とリモコン時計部１２の時刻情報とを含み、照明器具２０は、受信部２１が、リモコン１０の送信部１１から前記信号を受信し、補正部２５が、受信部２１が受信した信号に含まれる時刻情報に基づいて、照明時計部２４の時刻を補正し、制御部２３が、時刻に応じた点灯条件を記憶し、且つ、前記点灯条件と照明時計部２４の時刻とに基づいて、照明ユニット２２の点灯をオート制御することを特徴とする。【選択図】  図１
2018206728.tif 000002
【特許請求の範囲】
【請求項１】
信号の送信部と、リモコン時計部とを有するリモコン、および、
信号の受信部と、照明ユニットと、照明の制御部と、照明時計部と、時刻の補正部とを有する照明器具、を含み、
前記リモコンは、
前記送信部が、前記照明器具に信号を送信し、
前記信号は、前記照明器具のオート制御の起動情報と前記リモコン時計部の時刻情報とを含み、
前記照明器具は、
前記受信部が、前記リモコンの前記送信部から前記信号を受信し、
前記補正部が、前記受信部が受信した信号に含まれる時刻情報に基づいて、前記照明時計部の時刻を補正し、
前記制御部が、時刻に応じた点灯条件を記憶し、且つ、前記点灯条件と前記照明時計部の時刻とに基づいて、前記照明ユニットの点灯をオート制御することを特徴とする照明システム。
【請求項２】
前記リモコンの前記送信部から送信される信号において、前記信号に含まれる前記リモコン時計部の時刻情報が、実際の時間単位の時刻情報を所定の時間単位に改変した改変時刻情報である、請求項１記載の照明システム。
【請求項３】
前記リモコンは、さらに、信号送信補助部を有し、
前記信号送信補助部は、
前記送信部により送信した信号に含まれる前記所定の時間単位に改変した改変時刻情報と、前記実際の時間単位の時刻情報との時間のズレ、および、前記所定の時間単位と前記ズレた時間の差の時間、を算出し、
前記送信部が前記改変時間情報を含む信号を送信した時点から前記差の時間が経過後、経過時における実際の時間単位の時刻情報を前記所定の時間単位に改変した改変時刻情報のシグナルを、前記送信部を介して前記照明器具の前記受信部に送信する、請求項２記載の照明システム。
【請求項４】
前記実際の時間単位が、１分であり、前記所定の時間単位が、ｎ分であり、ｎは、２以上の正の整数である、請求項２または３記載の照明システム。
【請求項５】
前記リモコンから送信される信号は、前記照明器具のオート制御の起動情報を含む信号と、前記照明器具のオート制御の起動情報を含まない信号とで、同じデータ長である、請求項１から４のいずれか一項に記載の照明システム。
【請求項６】
信号の受信部と、照明ユニットと、照明の制御部と、照明時計部と、時刻の補正部とを有し、
前記受信部が、リモコンからの、オート制御の起動情報と時刻情報とを含む信号を受信し、
前記補正部が、前記受信部が受信した信号に含まれる時刻情報に基づいて、照明時計部の時刻を補正し、
前記制御部が、時刻に応じた点灯条件を記憶し、且つ、前記点灯条件と前記照明時計部の時刻とに基づいて、前記照明ユニットの点灯をオート制御することを特徴とする照明器具。
【請求項７】
信号の送信部と、リモコン時計部とを有し、
前記送信部が、照明器具に信号を送信し、
前記信号は、前記照明器具のオート制御の起動情報と前記リモコン時計部の時刻情報とを含むことを特徴とするリモコン。
【発明の詳細な説明】
【技術分野】
【０００１】
本発明は、照明システム、照明器具およびリモコンに関する。
【背景技術】
【０００２】
従来から、照明器具を、リモコンからの指示に応じて動作させる照明システムが広く用いられている（例えば、特許文献１参照）。
【先行技術文献】
【特許文献】
【０００３】
【特許文献１】特開２０１６−２２５１７５号公報
【発明の概要】
【発明が解決しようとする課題】
【０００４】
特許文献１に記載の照明システムでは、操作者が、自らリモコンを操作することで、リモコンからの指示により、照明器具の明るさの変更等が制御される。しかし、生活において、家事等の様々な作業を行っている際に、明るさ等を調整するのは手間である。これに対して、本発明者らは、照明システムにおいて、時刻に応じて、例えば、朝方は青白く明るい光、夕方はくつろげる色合い、夜は暗く等、照明器具の点灯条件を自動的に変更可能となれば、利便であるとの知見を得た。
【０００５】
そこで、本発明は、時刻に応じて、照明器具の点灯条件を自動的に変更可能な照明システムを提供することを目的とする。
【課題を解決するための手段】
【０００６】
前記目的を達成するために、本発明の照明システムは、
信号の送信部と、リモコン時計部とを有するリモコン、および、
信号の受信部と、照明ユニットと、照明の制御部と、照明時計部と、時刻の補正部とを有する照明器具、を含み、
前記リモコンは、
前記送信部が、前記照明器具に信号を送信し、
前記信号は、前記照明器具のオート制御の起動情報と前記リモコン時計部の時刻情報とを含み、
前記照明器具は、
前記受信部が、前記リモコンの前記送信部から前記信号を受信し、
前記補正部が、前記受信部が受信した信号に含まれる時刻情報に基づいて、前記照明時計部の時刻を補正し、
前記制御部が、時刻に応じた点灯条件を記憶し、且つ、前記点灯条件と前記照明時計部の時刻とに基づいて、前記照明ユニットの点灯をオート制御することを特徴とする。
【発明の効果】
【０００７】
本発明によれば、時刻に応じて、照明器具の点灯条件を自動的に変更可能な照明システムを提供することができる。
【図面の簡単な説明】
【０００８】
【図１】図１は、本発明の照明システムの構成の一例を示すブロック図である。
【図２】図２は、本発明のリモコンの外観の一例を示す平面図である。
【図３】図３は、本発明の照明システムの構成の別の例を示すブロック図である。
【発明を実施するための形態】
【０００９】
以下、本発明の照明システム、照明器具およびリモコンについて、図を用いて説明する。本発明は、下記の実施形態によって何ら限定および制限されない。以下の各図において、同一部分には、同一符号を付している。また、図においては、説明の便宜上、各部の構造は適宜簡略化して示す場合があり、各部の寸法比等は、実際とは異なり、模式的に示す場合がある。各実施形態の説明は、特に言及がない限り、互いの説明を援用できる。
【００１０】
［実施形態１］
図１は、本発明の照明システムの構成の一例を示すブロック図である。図１に示すように、本発明の照明システムは、本発明のリモコン１０と、本発明の照明器具２０とを含む。
【００１１】
（リモコン）
まず、リモコン１０について説明する。リモコン１０は、信号の送信部１１と、リモコン時計部１２とを有する。送信部１１は、照明器具２０に信号を送信する。前記信号は、照明器具２０のオート制御の起動情報とリモコン時計部１２の時刻情報とを含む。リモコン１０は、例えば、電池装着部を有し、前記電池装着部に電池をセットすることで、前記電池により駆動することができる。前記電池は、例えば、非充電式でも、充電式でもよい。
【００１２】
リモコン１０は、例えば、送信部１１が、前記オート制御の起動情報および前記時刻情報を含む信号を送信可能である以外は、時計機能を有する従来公知の照明器具用リモコンと同様であってもよい。
【００１３】
リモコン１０の送信部１１による信号の送信形式は、特に制限されない。信号のキャリアは、例えば、赤外線等があげられる。
【００１４】
リモコン時計部１２は、いわゆる時刻を示す時計機能を有していればよい。リモコン時計部１２の時刻は、例えば、操作者によって、時刻合わせ可能である。リモコン１０は、例えば、前述のように、前記電池により駆動でき、リモコン時計部１２も、セットされた前記電池によって、時計機能が駆動する。なお、本発明において、リモコン時計部１２の「時計機能」とは、時刻を示す機能を含み、例えば、経過時間を示すストップウオッチ機能のみを意味するものではない。本発明におけるリモコン時計部１２の「時計機能」は、時刻を示す機能のみでもよいし、時刻を示す機能と経過時間を示す機能の両方を含んでもよい。
【００１５】
図２に、リモコン１０の外観の一例を示す。このリモコン１０は、内部に、送信部１１およびリモコン時計部１２を有している。リモコン１０は、例えば、図２に示すように、さらに、表示部１０１と、照明器具２０に送信する信号を選択し、送信するボタン１０２〜１０４とを有してもよい。図２のリモコン１０において、ボタン１０４「快適」は、照明器具２０のオート制御を選択し、且つ、オート制御の起動情報とリモコン時計部１２の時刻情報とを含む信号を送信するボタンである。ボタン１０２「全灯」は、例えば、オート制御ではなく、照明器具２０の全ての照明ユニット２２を点灯する信号を送信するボタンであり、ボタン１０３「消灯」は、例えば、オート制御ではなく、照明器具２０の全ての照明ユニット２２を消灯する信号を送信するボタンである。なお、図２において、「快適、全灯、消灯」との表現は、一例であり、これには制限されない。
【００１６】
表示部１０１は、例えば、液晶ディスプレイ等であり、符号１０１ａで示すように、現在時刻等の情報を表示可能である。
【００１７】
図２のリモコン１０には、主要な３つのボタン１０２〜１０４のみを例示しているが、例えば、さらに、照明器具２０の点灯色、明るさ等を手動で調整する調整用のボタン、消灯時間のタイマー設定用のボタン等を有してもよい。また、リモコン１０は、さらに、カバー１０５を有してもよく、カバー１０５は、例えば、上下方向に移動するスライド式でもよいし、カバー１０５の上部が、図の手前方向に立ち上がる開閉式でもよい。各種ボタンは、未使用時、例えば、カバー１０５によって覆われてもよい。
【００１８】
（照明器具）
つぎに、照明器具２０について説明する。照明器具２０は、信号の受信部２１と、照明ユニット２２と、照明の制御部２３と、照明時計部２４と、時刻の補正部２５とを有する。
【００１９】
受信部２１は、リモコン１０の送信部１１から信号を受信する。受信部２１は、例えば、前記オート制御の起動情報および前記時刻情報を含む信号を受信する以外は、従来公知のリモコン式照明システムの照明器具における信号の受信部と同様である。
【００２０】
照明ユニット２２は、例えば、１以上の発光素子を備える。前記発光素子としては、例えば、ＬＥＤ（Ｌｉｇｈｔ  Ｅｍｉｔｔｉｎｇ  Ｄｉｏｄｅ、発光ダイオード）、蛍光灯、有機ＥＬ（Ｅｌｅｃｔｒｏ  Ｌｕｍｉｎｅｓｃｅｎｃｅ）、無機ＥＬ、半導体レーザ等があげられ、特に制限されない。照明ユニット２２としては、例えば、従来公知の照明器具におけるのと同様のものを用い得る。
【００２１】
照明時計部２４は、いわゆる時刻を示す時計機能を有していればよい。本発明において、照明時計部２４の「時計機能」とは、時刻を示す機能を含み、例えば、経過時間を示すストップウオッチ機能のみを意味するものではない。本発明における照明時計部２４の「時計機能」は、時刻を示す機能のみでもよいし、時刻を示す機能と経過時間を示す機能の両方を含んでもよい。補正部２５は、受信部２１が受信した信号に含まれる時刻情報に基づいて、照明時計部２４の時刻を補正する。以下に、本発明における照明時計部２４および補正部２５の役割について、説明する。
【００２２】
従来のリモコン式照明システムは、通常、リモコンのみが、時刻を示す時計機能を有しており、照明器具は、時刻を示す時計機能を有していない。従来のリモコン式照明システムにおいて、例えば、タイマーによるＯＮ−ＯＦＦが可能であるが、これは、経過時間を示す機能、すなわちストップウオッチ機能であり、時刻を示す時計機能ではない。これに対して、本発明の照明システムは、リモコン１０が時刻を示すリモコン時計部１２を有するのに加え、照明器具２０も、時刻を示す照明時計部２４を有している。しかし、照明器具２０の電源は、通常、リモコン１０により切ることもできるし、壁スイッチにより切ることもできるが、前者の場合、照明ユニット２２が消灯されるのみで照明器具２０への電力の供給は維持されるが、後者の場合、照明ユニット２２が消灯されるのに加え、照明器具２０への電力の供給も止められる。このため、前者であれば、電源をＯＦＦにしても、照明器具２０に供給された電力によって、照明時計部２４は、時計機能を駆動することができるため、照明器具２０をＯＦＦ（照明ユニット２２を消灯）しても、正しい時刻が把握できる。一方、後者の場合、電源ＯＦＦにより照明器具２０への電力の供給が止められるため、照明時計部２４は、時計機能を駆動することができず、例えば、その時点で時刻が止まってしまう。そこで、本発明の照明システムでは、前述のように、リモコン１０は、照明器具２０のオート制御の起動情報とリモコン時計部１２の時刻情報とを含む信号を送信し、照明器具２０は、前記信号を受信して、前記信号に含まれるリモコン時計部１２の時刻情報に基づいて、補正部２５により、照明時計部２４の時刻を補正することとした。これによって、照明器具２０の電源が壁スイッチにより切られ、照明時計部２４の時刻が止まってしまった場合でも、再度、照明器具２０の壁スイッチの電源を入れ、照明器具２０のオート制御をＯＮにした際には、照明器具２０の照明時計部２４の時刻を補正することができる。なお、壁スイッチにより電源を切った場合でも、照明器具２０の照明時計部２４の駆動を維持させる方法としては、照明器具２０に、照明時計部２４専用のバッテリー等を持たせることが考えられるが、これは現実的ではない。これに対して、本発明の照明システムでは、前述のとおり、照明時計部２４の時刻は、受信部２１が受信した信号に含まれるリモコン時計部１２の時刻情報に基づいて、補正部２５により補正される。このため、本発明の照明システムは、専用のバッテリー等を必要とすることなく、簡便に時刻の補正を行うことができる。
【００２３】
制御部２３は、時刻に応じた点灯条件を記憶し、且つ、前記点灯条件と照明時計部２４の時刻とに基づいて、照明ユニット２２の点灯をオート制御する。本発明の照明システムは、このように、制御部２３によって、時刻に応じた点灯条件となるように、照明ユニット２２の点灯をオート制御できる。また、本発明の照明システムによれば、前述のように、照明器具２０が、照明時計部２４を有し、且つ、受信した信号に含まれるリモコン時計部１２の時刻情報に基づいて時刻を補正する補正部２５を有する。このため、本発明の照明システムは、例えば、オート制御を駆動させる度に、制御部２３による点灯のオート制御の基準となる時刻を補正でき、時刻にあった点灯を実現できる。
【００２４】
制御部２３は、例えば、時刻と点灯条件とを紐づけして記憶する。前記点灯条件とは、例えば、点灯の有無、光の色味、光の強さ等があげられる。時刻に応じた点灯条件としては、例えば、朝方は青白く明るい光、夕方はくつろげる色合い、夜は暗い光や消灯等があげられる。時刻と点灯条件とを紐づけする際、時刻の分け方は、特に制限されず、例えば、午前と午後；未明（例えば、０時〜午前３時）、明け方（午前３時〜午前６時）、朝（午前６時〜午前９時）、昼前（午前９時〜正午）、昼過ぎ（正午〜午後３時）、夕方（午後３時〜午後６時）、夜のはじめ（午後６時〜午後９時）、夜遅く（午後９時〜０時）；等でもよいし、時間単位または分単位等の時刻で設定してもよい。
【００２５】
補正部２５、照明時計部２４および制御部２３は、例えば、ＣＰＵ（Ｃｅｎｔｒａｌ  Ｐｒｏｃｅｓｓｉｎｇ  Ｕｎｉｔ）、マイクロプロセッサ、マイクロコントローラ（マイコン）および不揮発性メモリ等により構成し得る。
【００２６】
つぎに、本例の照明システムによるオート制御について、例をあげて説明する。
【００２７】
まず、壁スイッチがＯＮであり照明器具２０に電力が供給されている状態において、操作者が、図２に示すリモコン１０の快適ボタン１０４を押すと、リモコン１０の送信部１１から、照明器具２０のオート制御の起動情報とリモコン時計部１２の時刻情報とを含む信号が、照明器具２０に送信され、照明器具２０の受信部２１がそれを受信する。なお、図２に示すように、リモコン１０の快適ボタン１０４が押されたときに、リモコン１０の表示部１０１に、「快適」（符号１０１ｂ）と表示されてもよい。
【００２８】
照明器具２０において、受信部２１が前記信号を受信すると、補正部２５が、前記信号に含まれるリモコン時計部１２の時刻情報に基づいて、照明時計部２４の時刻を補正する。
【００２９】
例えば、照明器具２０の照明時計部２４の時刻が１２：００であり、リモコン１０のリモコン時計部１２の時刻が１７：１３であり、リモコン１０から、オート制御の起動情報と１７：１３の時刻情報を含む信号が送信された場合、照明器具２０において、照明時計部２４の時刻が１７：１３に補正される。
【００３０】
そして、照明器具２０の時刻情報が補正されると、制御部２３は、照明時計部２４の補正された時刻と記憶されている点灯条件とに基づき、照明ユニット２２の点灯をオート制御する。制御部２３が、例えば、補正された時刻（例えば、１７：１３）においては、「くつろげる色合い」という点灯条件を記憶している場合、照明ユニット２２の点灯条件が、「くつろげる色合い」に自動的に変更され、点灯が制御される。そして、照明ユニット２２の点灯は、オート制御を起動させている間、時刻の経過とともに、その時刻に応じた点灯となるように制御される。
【００３１】
他方、操作者が、再度、リモコン１０の快適ボタン１０４を押すと、表示部１０１の「快適」の表示１０１ｂが消され、照明器具２０が、時刻と無関係な通常の点灯状態となる。
【００３２】
（変形例）
リモコン１０の送信部１１から送信される信号において、前記信号に含まれるリモコン時計部１２の時刻情報として、リモコン時計部１２の実際の時間単位の時刻情報を例示したが、これには制限されず、例えば、実際の時間単位の時刻情報を所定の時間単位に改変した改変時刻情報でもよい。時間単位とは、例えば、時間、分、秒等である。リモコン１０の表示部１０１において、表示される時刻が、例えば、１７：１１、１７：１２というように、１分ごとに進む場合、実際の時間単位は、１分となる。他方、所定の時間単位に改変するとは、例えば、実際の時間単位１分で表されている時刻を、所定の時間単位（例えば、時間単位１０分）に改変することである。
【００３３】
具体例として、例えば、図２に示すリモコン１０の場合、リモコン時計部１２は、実際の時間単位が１分であり、実際の時間単位の時刻情報が１７：１３である。他方、前記所定の時間単位を１０分に設定した場合、リモコン１０の送信部１１から送信される前記信号に含まれる時刻情報は、実際の１７：１３から１分台の数値を切り捨てて、１０分単位に改変した改変時刻情報１７：１０となる。前記実際の時間単位を１分として、実際の時間単位で表された時刻情報を信号として送信する場合、６０分×２４時間＝１４４０通りのデータコードが必要となる。他方、所定の時間単位を１０分単位とした場合、データコードは、１分単位に対して１０分の１に圧縮できる。つまり、実際の時間単位（時間の長さｍ、正の数）と比較して、より大きな所定の時間単位（時間の長さｎ、正の数、ｎ＞ｍ）に設定した改変時刻情報とすることで、実際の時間単位の時刻情報よりも、短いデータ長とすることができる。なお、時刻情報の改変における前記所定の時間単位（ｎ）は、１０分に限定されない。例えば、前述の例において、前記所定の時間単位（ｎ）を６０分に設定した場合、実際の１７：１３から１３分の数値を切り捨てて、６０分単位に改変した改変時刻情報１７：００としてもよい。
【００３４】
前記所定の時間単位（ｎ）は、特に制限されず、例えば、所望のデータ長に応じて適宜に設定できる。前記所定の時間単位（ｎ）は、例えば、２分〜４８０分、２分〜６０分、１０分〜６０分の範囲である。
【００３５】
リモコン１０から送信される信号は、照明器具２０のオート制御の起動情報および前記時刻情報を含む信号と、照明器具２０のオート制御の起動情報を含まない信号とで、同じデータ長であることが好ましい。後者のオート制御の起動情報を含まない信号とは、例えば、「全灯」・「消灯」等の照明器具２０のオート制御の起動情報を含まない一般的な信号である。前者と、後者の一般的な信号とで、データ長が同じであれば、例えば、信号の種類にかかわらず、照明器具２０側での受信精度が同じとなる。このため、例えば、照明器具２０から遠く離れた箇所でリモコン１０を操作した際、信号が受信されない等の不具合を十分に抑制できる。また、照明器具２０の受信部２１においては、例えば、ノイズ検知防止のための閾値を時定数で上下させるのが一般的であるが、信号の種類にかかわらず前記データ長が同じであれば、前記閾値が下げられたときのノイズの誤検知も十分に抑制できる。本発明において、照明器具２０のオート制御の起動情報および前記時刻情報を含む信号のデータ長は、例えば、前述のように、所定の時間単位で時刻情報を改変することにより、その信号のデータ長を、容易に、前記のオート制御の起動情報を含まない一般的な信号のデータ長と同じに設定できる。
【００３６】
そして、照明器具２０の時刻情報が補正されると、制御部２３は、照明時計部２４の補正された時刻と記憶されている点灯条件とに基づき、照明ユニット２２の点灯をオート制御する。制御部２３が、例えば、補正された時刻（例えば、改変時刻情報である１７：１０）においては、「くつろげる色合い」という点灯条件を記憶している場合、照明ユニット２２の点灯条件が、「くつろげる色合い」に自動的に変更され、点灯が制御される。そして、照明ユニット２２の点灯は、オート制御を起動させている間、時刻の経過とともに、その時刻に応じた点灯となるように制御される。
【００３７】
［実施形態２］
図３は、本発明の照明システムの構成の別の例を示すブロック図である。図３に示すように、本例の照明システムは、リモコン１０が、さらに、信号送信補助部１３を有する以外は、図１に示す実施形態１の照明システムと同様である。本実施形態の照明システムは、前記実施形態１の変形例に示すように、前記信号が、前記所定の時間単位に改変した改変時刻情報を含む場合に適した形態である。
【００３８】
信号送信補助部１３は、送信部１１により送信した信号に含まれる前記所定の時間単位に改変した改変時刻情報と、前記実際の時間単位の時刻情報との時間のズレ、および、前記所定の時間単位と前記ズレた時間との差の時間、を算出し、送信部１１が前記改変時間情報を含む信号を送信した時点から前記差の時間が経過後、経過時における実際の時間単位の時刻情報を前記所定の時間単位に改変した改変時刻情報のシグナルを、送信部１１を介して照明器具２０の受信部２１に送信する。
【００３９】
前記実施形態１の変形例に示すように、前記信号が、前記所定の時間単位に改変した改変時刻情報を含む場合、照明器具２０の照明時計部２４の時刻情報は、前記所定の時間単位に改変した改変時刻情報に補正される。この場合、実際の時間単位の時刻情報（例えば、１７：１０）を所定の時間単位（例えば、１０分）に改変した際、改変時刻情報が、実際の時刻情報と同じになるならば、照明器具２０の照明時計部２４の時刻情報は、リモコン１０のリモコン時計部１２の実際の時刻情報（１７：１０）と同じ時刻（１７：１０）に補正される。しかし、実際の時間単位の時刻情報（例えば、１７：１３）を所定の時間単位（例えば、１０分）に改変した際、改変時刻情報が、実際の時刻情報（１７：１３）とは異なる時刻情報（１７：１０）となる場合、照明器具２０の照明時計部２４の時刻情報は、前記所定の時間単位の範囲内において、リモコン１０のリモコン時計部１２の実際の時刻情報（１７：１３）とはズレた時刻情報（１７：１０）に補正される。本実施形態の照明システムによれば、以下に示すように、前記信号が、前記改変時刻情報を含み、且つ、前記実際の時刻情報と前記改変時刻情報とがズレる場合でも、そのズレを、さらに補正して、照明器具２０の照明時計部２４の時刻情報を、実際の時刻情報とすることが可能になる。
【００４０】
すなわち、信号送信補助部１３によれば、送信部１１により送信した信号に含まれる前記所定の時間単位（例えば、１０分）に改変した改変時刻情報（例えば、１７：１０）と、前記実際の時間単位の時刻情報（例えば、１７：１３）との時間のズレ（３分）、および、前記所定の時間単位（１０分）と前記ズレた時間（３分）との差の時間（７分）が算出される。そして、信号送信補助部１３は、送信部１１が前記改変時間情報を含む信号を送信した時点（１７：１３）から前記差の時間（７分）が経過後、経過時における実際の時間単位の時刻情報（１７：２０）を前記所定の時間単位（１０分）に改変した改変時刻情報（１７：２０）のシグナルを、送信部１１を介して照明器具２０の受信部２１に送信する。このシグナルに含まれる改変時刻情報は、前記実際の時間単位の時刻情報（１７：２０）と一致したズレの無い改変時刻情報（１７：２０）である。このため、照明器具２０は、受信部２１が前記シグナルを受信すると、補正部２５が、前記シグナルに基づいて、照明時計部２４の時刻を、前記実際の時間単位の時刻情報と一致したズレの無い時刻に補正する。
【００４１】
以上、実施形態を参照して本発明を説明したが、本発明は、上記実施形態に限定されるものではない。本発明の構成や詳細には、本発明のスコープ内で当業者が理解しうる様々な変更をすることができる。
【産業上の利用可能性】
【００４２】
本発明によれば、時刻に応じて、照明器具の点灯条件を自動的に変更可能な照明システムを提供することができる。本発明の照明システムは、例えば、家庭用および施設用等、幅広い用途に用いることが可能である。
【符号の説明】
【００４３】
１０    リモコン
１１    送信部
１２    リモコン時計部
１３    信号送信補助部
２０    照明器具
２１    受信部
２２    照明ユニット
２３    制御部
２４    照明時計部
２５    補正部
１０１  表示部
１０２、１０３、１０４  ボタン
１０５  カバー
【図１】
2018206728.tif 000003
【図２】
2018206728.tif 000004
【図３】
2018206728.tif 000005